(57)【要約】  パーソナルケア装置１０のための駆動トレインアセンブリ２００が、第１の端部マウント２２０と第２の端部マウント２３０との間に懸架されるねじりばね２１０を有し、当該ねじりばねは、第１の端部マウントに取り付けられた第１の端部と第２の端部マウントに取り付けられた第２の端部とを有し、ねじりばねの第１及び第２の端部は、交差たわみばねヒンジ２５０，２６０をそれぞれ有する。
2019532683.tif 000002
【特許請求の範囲】
【請求項１】
パーソナルケア装置のための駆動トレインアセンブリであって、
第１の端部マウントと第２の端部マウントとの間に懸架されたねじりばねを有し、前記ねじりばねは、前記第１の端部マウントに取り付けられた第１の端部と前記第２の端部マウントに取り付けられた第２の端部とを有し、前記ねじりばねの前記第１及び第２の端部は、交差たわみばねヒンジをそれぞれ有する、駆動トレインアセンブリ。
【請求項２】
前記第１の端部マウントが、モータと係合するように構成される、請求項１記載の駆動トレインアセンブリ。
【請求項３】
前記第２の端部マウントが、アタッチメントの接続のための駆動シャフトと係合するように構成される、請求項１記載の駆動トレインアセンブリ。
【請求項４】
前記Ｘ字型交差たわみばねヒンジが、前記ねじりばねから外側へ延在している２つのばねヒンジリーフレットを有する、請求項１記載の駆動トレインアセンブリ。
【請求項５】
前記ねじりばねが、長手方向に沿ってＶ字型である、請求項１記載の駆動トレインアセンブリ。
【請求項６】
前記第１の端部マウントにおける第１の支持構造であって、前記ねじりばねの前記第１の端部が前記第１の支持構造に取り付けられる前記第１の支持構造と、
前記第２の端部マウントにおける第２の支持構造であって、前記ねじりばねの前記第２の端部が前記第２の支持構造に取り付けられる前記第２の支持構造と、
を更に有する、請求項１記載の駆動トレインアセンブリ。
【請求項７】
前記ねじりばねの前記第１の端部が、前記第１の支持構造に溶接されており、前記ねじりばねの前記第２の端部が、前記第２の支持構造に溶接されている、請求項６記載の駆動トレインアセンブリ。
【請求項８】
パーソナルケア装置のための駆動トレインアセンブリであって、
モータと連絡するように構成された第１の端部マウントと、
アタッチメントの接続のための駆動シャフトと連絡するように構成された第２の端部マウントと、
前記第１の端部マウントと前記第２の端部マウントとの間に懸架されるとともに、前記第１の端部マウントに取り付けられた第１の端部と前記第２の端部マウントに取り付けられた第２の端部とを有する、ねじりばねと、
前記第１の端部マウントにおける第１の支持構造であって、前記ねじりばねの前記第１の端部が前記第１の支持構造に取り付けられる前記第１の支持構造と、
前記第２の端部マウントにおける第２の支持構造であって、前記ねじりばねの前記第２の端部が前記第２の支持構造に取り付けられる前記第２の支持構造と、
前記ねじりばねの前記第１の端部上の第１の交差たわみばねヒンジと、
前記ねじりばねの前記第２の端部上の第２の交差たわみばねヒンジと、
を有し、
前記第１の交差たわみばねヒンジ及び前記第２の交差たわみばねヒンジの各々が、前記各ねじりばねから外側へ延在している２つのばねヒンジリーフレットを有する、駆動トレインアセンブリ。
【請求項９】
前記ねじりばねが、Ｖ字型である、請求項８記載の駆動トレインアセンブリ。
【請求項１０】
パーソナルケア装置であって、
ハウジングと、
第１の端部マウントと第２の端部マウントとの間に懸架されるねじりばねを有する駆動トレインアセンブリと、
を有し、
前記ねじりばねは、前記第１の端部マウントに取り付けられた第１の端部と前記第２の端部マウントに取り付けられた第２の端部とを有し、
前記ねじりばねの前記第１及び第２の端部は、交差たわみばねヒンジをそれぞれ有する、パーソナルケア装置。
【請求項１１】
前記第１の端部マウントが、モータと係合するように構成される、請求項１０記載のパーソナルケア装置。
【請求項１２】
前記第２の端部マウントが、アタッチメントの接続のための駆動シャフトと係合するように構成される、請求項１０記載のパーソナルケア装置。
【請求項１３】
前記交差たわみばねヒンジの各々が、前記ねじりばねから外側へ延在している２つのばねリーフレットを有する、請求項１０記載のパーソナルケア装置。
【請求項１４】
前記第１の端部マウントにおける第１の支持構造であって、前記ねじりばねの前記第１の端部が前記第１の支持構造に取り付けられる前記第１の支持構造と、
前記第２の端部マウントにおける第２の支持構造であって、前記ねじりばねの前記第２の端部が前記第２の支持構造に取り付けられる前記第２の支持構造と、
を更に有する、請求項１０記載のパーソナルケア装置。
【請求項１５】
前記ねじりばねが、Ｖ字型である、請求項１０記載のパーソナルケア装置。
【発明の詳細な説明】
【技術分野】
【０００１】
本開示は、一般に、節点取り付けを必要としないＶ字型ばねを有するパーソナルケア装置の駆動トレイン構成に関する。
【背景技術】
【０００２】
ブラッシングの長さ及びカバー率を含む適切な歯磨きは、長期的な歯の健康を確保するのに役立つ。多くの歯の問題は、定期的に歯磨きをしないか、あるいは、口腔の特定の領域又は区画において、不適切に行なう人が経験する。ブラッシングを定期的に行なう個人の間では、不適切なブラッシング習慣は、標準的なブラッシング養生法が遵守されていても、ブラッシングの範囲が悪く、従って洗浄セッション中に適切に洗浄されない表面をもたらす可能性がある。電動歯ブラシなどの電気清掃装置は、洗浄セッションの効率を大幅に向上させることが示されている。
【０００３】
電動歯ブラシ、シェーバ、スキンクリーナー、および同様の装置を含むこれらの電気清掃装置は、ブラシヘッドなどのアタッチメントを振動、往復運動、又は、他のパターンで駆動するために駆動トレインと係合する、機械的または電気機械的モータなどのモータを有する。あるタイプの駆動トレイン構成は、両端に取り付けられたばねを使用する。いくつかの構成は、２つの端部間のほぼ中間の長さに位置する節点を有し、いくつかのばねはＶ字型を有する。
【発明の概要】
【発明が解決しようとする課題】
【０００４】
しかしながら、これらのばね配置は、例えば、ばねのクランプされた端部の境界面で繰り返し力がばねおよびクランプに応力を生じさせるフレッティング疲労の結果として故障する傾向がある。時間が経つと、これは１又は複数の部品の故障につながる可能性がある。さらに、ばねが両端に取り付けられているばね構成は、多数の異なる部品を必要とし、それは部品コスト、製造コスト、および製造時間を増加させる。
【０００５】
節点マウントは、マウントが過度に硬くなるか、またはドライブのヒステリシス挙動をもたらし、ドライブに作用する力とドライブの応答との間に著しい遅れが生じる可能性があるため、信頼できないか予測できないこともある。ヒステリシスは、非常に非効率的な駆動をもたらし、システムによって実行される振幅および力の感知を複雑にする。
【０００６】
したがって、部品点数が少なく、節点で取り付けられていないことで、応力および疲労に対する堅牢性が向上した、Ｖ字型ばねを含むパーソナルケア装置駆動トレイン構成の必要性が引き続きある。
【課題を解決するための手段】
【０００７】
本開示は、節点に取り付けられているのではなく両端に懸架されているＶ字型のばねを備える本発明の駆動トレインアセンブリに関する。Ｖ字型ばねは、両端にＸ字型ばねヒンジを含む。電動歯ブラシ、スキンクリーナー、またはシェーバなどの電気または電力パーソナルケア装置に適用されると、本発明のシステムは、より効率的で応力に対してより耐性がある単純化された駆動トレインアセンブリを提供する。
【０００８】
概して一態様では、パーソナルケア装置のための駆動トレインアセンブリが提供される。駆動トレインアセンブリは、第１の端部マウントと第２の端部マウントとの間に懸架されたねじりばねを含み、当該ばねは、第１の端部マウントに取り付けられた第１の端部と第２の端部マウントに取り付けられた第２の端部とを含む。ねじりばねの第１及び第２の端部は、それぞれＸ字型のばねヒンジを含む。
【０００９】
一実施形態によれば、第１の端部マウントは、モータと係合するように構成される。
【００１０】
一実施形態によれば、第２の端部マウントは、アタッチメントのためのマウントと係合するように構成される。
【００１１】
一実施形態によれば、Ｘ字型のばねヒンジの各々は、ねじりばねから外側へ延在している２つのばねリーフレットを有する。
【００１２】
一実施形態によれば、ねじりばねは、Ｖ字型である。
【００１３】
一実施形態によれば、駆動トレインは、第１の端部マウントにおける第１の支持構造であって、ねじりばねの第１の端部が第１の支持構造に取り付けられる前記第１の支持構造と、第２の端部マウントにおける第２の支持構造であって、ねじりばねの第２の端部が第２の支持構造に取り付けられる前記第２の支持構造と、をさらに含む。一実施形態によれば、ねじりばねの第１の端部は、第１の支持構造に溶接されており、ねじりばねの第２の端部は、第２の支持構造に溶接されている。
【００１４】
他の態様によれば、パーソナルケア装置のための駆動トレインアセンブリが提供される。当該駆動トレインアセンブリは、モータと連絡するように構成された第１の端部マウントと、ブラシヘッドのためのマウントと連絡するように構成された第２の端部マウントと、前記第１の端部マウントと前記第２の端部マウントとの間に懸架されるとともに、前記第１の端部マウントに取り付けられた第１の端部と前記第２の端部マウントに取り付けられた第２の端部とを有する、ねじりばねと、前記第１の端部マウントにおける第１の支持構造であって、前記ねじりばねの前記第１の端部が前記第１の支持構造に取り付けられる前記第１の支持構造と、前記第２の端部マウントにおける第２の支持構造であって、前記ねじりばねの前記第２の端部が前記第２の支持構造に取り付けられる前記第２の支持構造と、第１の支持構造上の第１の交差たわみと、第２の支持構造上の第２の交差たわみと、を有し、第１の交差たわみ及び第２の交差たわみの各々が、各支持構造から外側へ延在している２つのばねヒンジリーフレットを有する。
【００１５】
他の態様によれば、パーソナルケア装置が提供される。当該パーソナルケア装置は、ハウジングと、第１の端部マウントと第２の端部マウントとの間に懸架されるねじりばねを有する駆動トレインアセンブリと、を有し、前記ねじりばねは、前記第１の端部マウントに取り付けられた第１の端部と前記第２の端部マウントに取り付けられた第２の端部とを含み、前記ねじりばねの前記第１及び第２の端部は、Ｘ字型のばねヒンジをそれぞれ有する。
【００１６】
前述の概念及び以下でより詳細に論じられる追加の概念（そのような概念が相互に矛盾しないことを条件とする）の全ての組み合わせが、本明細書に開示された発明要旨の一部であると考えられることを理解されたい。特に、本開示の最後に現れる主張される主題の全ての組み合わせは、本明細書で開示される本発明の主題の一部であると考えられる。
【００１７】
本発明のこれら及び他の態様は、以下に記載される１又は複数の実施形態を参照して明らかになるであろう。
【図面の簡単な説明】
【００１８】
図中、同様の参照符号は、一般的に、異なる図面を通じて同じ部分を表す。また、図面は、原寸通りではなく、代わりに、本発明の原理を図示するにあたって強調されている。
【図１】図１は、一実施形態に係るパーソナルケア装置の概略図である。
【図２】図２は、パーソナルケア装置の従来技術の駆動トレインアセンブリの概略図である。
【図３】図３は、一実施形態に係るパーソナルケア装置の駆動トレインアセンブリの概略図である。
【図４】図４は、一実施形態に係るパーソナルケア装置の駆動トレインアセンブリのためのＶ字型ばねの断面の概略図である。
【図５】図５は、一実施形態に係るパーソナルケア装置の駆動トレインアセンブリのためのＵ字型ばねの断面の概略図である。
【図６】図６は、一実施形態に係るパーソナルケア装置の駆動トレインアセンブリの概略図である。
【図７】図７は、一実施形態に係るパーソナルケア装置の駆動トレインアセンブリの概略図である。
【図８】図８は、一実施形態に係るパーソナルケア装置の駆動トレインアセンブリの一部の断面図である。
【図９】図９は、一実施形態に係るパーソナルケア装置の駆動トレインアセンブリの一部の断面図である。
【図１０】図１０は、一実施形態に係るパーソナルケア装置の駆動トレインアセンブリの概略図である。
【発明を実施するための形態】
【００１９】
本開示は、電気パーソナルケア装置のための駆動トレインアセンブリの様々な実施形態について述べている。より一般的には、本出願人は、節点に取り付けられていないばねアセンブリを提供することが有益であり、それがより効率的で応力に対してより耐性があることを発見し、認識している。したがって、本明細書に記載または他の方法で想定されているシステムは、電動歯ブラシまたはシェーバなどのパーソナルケア装置に、節点に取り付けられていないＶ字型またはＵ字型のばねアセンブリを含むとともに、両端においてＸ字型のばねヒンジを有する駆動トレインばねアセンブリを備える。
【００２０】
本明細書における実施形態および実施例の利用の特定の目的は、例えば、（Ｋｏｎｉｎｋｌｉｊｋｅ Ｐｈｉｌｉｐｓ Ｅｌｅｃｔｒｏｎｉｃｓ、ＮＶによって製造されている）Ｐｈｉｌｉｐｓ Ｓｏｎｉｃａｒｅ（登録商標）歯ブラシなどのパーソナルケア装置用の駆動トレインばねアセンブリを提供することであるが、当該アセンブリは、シェーバ、スキンクリーナー、および相互運動を有する他のパーソナルケア装置を含むがこれらに限定されない他の多くのパーソナルケアデバイスと一緒に使用されてもよい。
【００２１】
図１によれば、一実施形態において、ここに示されるように、本体部分１２と、ブラシヘッド部材１４などのアタッチメントと、を含むパーソナルケア装置１０が提供される。アタッチメント１４は、本体部分から離れた端部にブラシヘッド１６を含む。
【００２２】
アタッチメント１４は、本体部分１２に対して移動可能であるように取り付けられている。当該移動は、とりわけ、振動又は回転を含む、多種多様な運動のいずれかであり得る。
【００２３】
本体部分１２は、通常、運動を発生させるための駆動トレインアセンブリ１００、２００と、発生された運動をアタッチメント１４に伝達するための伝達部品または駆動トレインシャフト２４とを含む。例えば、駆動トレイン１００、２００は、後にブラシヘッド部材１４に伝達されるばねアセンブリの動きを発生させるモータまたは電磁石を含む。駆動トレイン１００、２００は、とりわけ、電源、発振器、および、１または複数の電磁石などの構成要素を含むことができる。この実施形態では、電源は、使用されていないときにパーソナルケア装置１０が配置されている充電ホルダ内で、例えば充電することができる、図示されていない１または複数の充電式バッテリを備える。一実施形態によれば、アタッチメント１４は、本体部分１２に対して振動することができるように駆動トレインシャフト２４に取り付けられている。アタッチメント１４は、駆動トレインシャフト２４上に固定的に取り付けることができ、あるいはアタッチメント１４を異なる動作特徴のために、あるいは、アタッチメントの毛またはアタッチメントの別の構成要素が磨耗し交換が必要な場合には異なるアタッチメントと交換することができるように、取り外し可能に取り付けることができる。
【００２４】
本体部分１２には、駆動トレイン１００、２００を起動および停止するためのユーザ入力部２６がさらに設けられている。ユーザ入力部２６により、ユーザはパーソナルケア装置１０を操作して、例えば装置をオンおよびオフにすることができる。ユーザ入力２６部は、例えば、ボタン、タッチスクリーン、またはスイッチであり得る。
【００２５】
また、装置の本体部分は、コントローラ３０を有する。コントローラ３０は、１または複数のモジュールから形成されてもよく、ユーザ入力部２６を介して取得された入力などの入力に応答してパーソナルケア装置１０を動作させるように構成されている。コントローラ３０は、例えば、プロセッサ３２とメモリ３４とを備えることができ、オプションで接続モジュール３８を含むことができる。プロセッサ３２は、マイクロコントローラ、複数のマイクロコントローラ、回路、単一のプロセッサ、または複数のプロセッサを含むがこれらに限定されない、任意の適切な形態をとり得る。メモリ３４は、不揮発性メモリ及び／又はＲＡＭを含む任意の適切な形態をとることができる。不揮発性メモリは、読み出し専用メモリ（ＲＯＭ）、ハードディスクドライブ（ＨＤＤ）、またはソリッドステートドライブ（ＳＳＤ）を含み得る。メモリは、とりわけ、オペレーティングシステムを格納することができる。ＲＡＭはデータの一時記憶のためにプロセッサによって使用される。一実施形態によれば、オペレーティングシステムは、コントローラ３０によって実行されたときにパーソナルケア装置１０のハードウェア構成要素の動作を制御するコードを含むことができる。一実施形態によれば、接続モジュール３８は、収集されたセンサデータを送信し、Ｗｉ‐Ｆｉ（登録商標）、Ｂｌｕｅｔｏｏｔｈ（登録商標）、近距離無線通信、及び／又は、セルラモジュールを含むがこれらに限定されない、有線または無線信号を送信できる任意のモジュール、デバイス、または手段であり得る。
【００２６】
図２には、節点に取り付けられたＶ字型ねじりばね１１０を具備する従来技術の駆動トレインアセンブリ１００が示されている。従来技術の駆動トレインアセンブリ１００は、モータ（図示せず）によって駆動される第１の端部マウント１２０を有する。また、駆動トレインアセンブリは、第２の端部マウント１３０を含む。第２の端部マウント１３０から延びるのは、アタッチメント１４（図示せず）を接続するための駆動シャフトである。接点に取り付けられたＶ字型ねじりばね１１０は、その各々の端部で端部マウントアセンブリ１２０、１３０に固定的に取り付けられている。節点１５０であるほぼ中心点において、ねじりばね１１０は、要素１６０を介して本体１２に取り付けられている。要素１６０は、例えば、ばね、固定リング、または他の連結構成要素であり得る。
【００２７】
図３によれば、一実施形態において、節点に取り付けられていないねじりばね２１０を具備する本発明の駆動トレインアセンブリ２００が示されている。駆動トレインアセンブリ２００は、モータ（図示せず）によって駆動される第１の端部マウント２２０を有する。また、駆動トレインアセンブリは、第２の端部マウント２３０を含む。アタッチメント１４（図示せず）を接続するための駆動シャフト２４０が第２の端部マウント２３０から延びている。ばね２１０は、その各々の端部で端部マウントアセンブリ２２０、２３０に取り付けられている。従来技術のばね１１０とは異なり、ばね２１０はその中心長さに沿って節点的に取り付けられていない。代わりに、ばね２１０は各端部にＸ字型の交差たわみばねヒンジ２５０、２６０を含む。交差たわみ２５０、２６０の各々は、Ｘ字型を形成するようにばね２１０のそれぞれの端部に取り付けられた２つのばねヒンジリーフレットを含む。これにより、従来技術で必要とされていたような多数の支持部品が不要になる。
【００２８】
図４によれば、一実施形態において、図３のＡ−Ａ軸で切ったＶ字型ねじりばね２１０の断面図が示されている。同様に、図５には、図３のＡ−Ａ軸で切ったＵ字型ばね２１０の断面図が示されている。ばね２１０は、多くの異なる形状および大きさを含み得る。さらに、ばねは、十分な弾力性、応力に対する抵抗、および他の望ましい特性を提供する１または複数の材料から構成することができる。
【００２９】
図６には、一実施形態において、節点に取り付けられていないねじりばね２１０を備えた駆動トレインアセンブリ２００が示されている。駆動トレインアセンブリ２００は、モータ（図示せず）によって駆動される第１の端部マウント２２０を備える。駆動トレインアセンブリはまた、第２の端部マウント２３０を含む。ばね２１０は、その各々の端部で端部マウントアセンブリ２２０、２３０に取り付けられている。ばね２１０は各端部にＸ字型たわみばねヒンジ２５０、２６０を含む。交差たわみばねヒンジ２５０、２６０のそれぞれは、一端がばね２１０に取り付けられ、Ｘ字型を形成する、２つのばねヒンジリーフレット２５０ａ、２５０ｂ、２６０ａ、２６０ｂを備える。
【００３０】
一実施形態によれば、ばね２１０の２つの端部は、様々な機構のうちの任意の１つを使用して適所に固定することができる。例えば、２つの端部は、ねじ、ボルト、または他の固定方法で適所に固定することができる。さらに別の例として、ばねの２つの端部は、レーザ溶接などによって端部を溶接することによって所定の位置に固定することができる。例えば、図６に示すように、ばね２１０の第１の端部は、領域３１０でまたは領域３１０に沿って支持構造３３０に溶接または他の方法で固定することができる。同様に、ばね２１０の第２の端部は、領域３２０において又は領域３２０に沿って同様の支持構造体３４０に溶接されるか又はそうでなければ固定されることができる。ばねの端部をそれぞれの支持構造３３０、３４０に溶接または接続することに加え、ばねの端部を第１および第２の端部マウントアセンブリ２２０、２３０に溶接または他の方法で固定することができる。例えば、図６に示すように、第２の端部は、交点３５０で第２の端部マウントアセンブリ２３０に溶接または固定することができる。
【００３１】
図７によれば、他の実施形態において、非節点的に取り付けられたねじりばね２１０を備えた駆動トレインアセンブリ２００が示されている。駆動トレインアセンブリ２００は、モータ（図示せず）によって駆動される第１の端部マウント２２０を備える。駆動トレインアセンブリはまた、第２の端部マウント２３０を含む。第２の端部マウント２３０から延びるのは、アタッチメントのための駆動シャフト２４（図示せず）である。ばね２１０は、その各々の端部で端部マウントアセンブリ２２０、２３０に取り付けられている。この実施形態によれば、駆動トレインアセンブリは、第１の支持構造３３０および第２の支持構造３４０のそれぞれに交差たわみばねヒンジ２５０、２６０を備える。交差たわみ２５０、２６０のそれぞれは、Ｘ字型を形成するばね２１０に一端で取り付けられた、２つのばねヒンジリーフレット２５０ａ、２５０ｂ、２６０ａ、２６０ｂ（図６参照）を備える。各リーフレットは、それぞれの支持構造に取り付けられ、各リーフレットの取り付けられた端部は、空間３８０、３９０だけばね２１０からわずかに離間している。これは他の利点の中でも、より大きなＸばねのたわみを可能にする。
【００３２】
図８及び図９は、図６及び図７の軸Ａ‐Ａに沿ってとられた駆動トレインアセンブリ２００の様々な実施形態又は同様のアセンブリ２００の実施形態の断面図である。例えば、図８に示すように、交差たわみばねヒンジ２５０の２つのばねヒンジリーフレットは、ばね２１０に接続され、そこから外側に延びている。この実施形態では、交差たわみ２５０の２つのばねリーフレットは、第２の支持構造３４０に直接接続されていないが、第２の支持構造３４０に接続されているばね２１０を介して接続されている。別の実施形態によれば、交差たわみばねヒンジ２５０の２つのばねリーフレットは、ばね２１０と第２の支持構造３４０の両方に直接接続することができる。図９に示されるように、例えば、交差たわみばねヒンジ２５０の２つのばねヒンジリーフレットは、ばね２１０に直接接続されていないが、代わりに第２の支持構造３４０に接続されている。空間３９０が、ばね２１０と交差たわみばねヒンジ２５０との間に配置されている。これら２つの実施形態は、図８及び図９に示されているが、他の多くの実施形態が可能であることを理解されたい。
【００３３】
図１０によれば、一実施形態において、節点で取り付けられていないねじりばね２１０を備えた駆動トレインアセンブリ２００が示されている。駆動トレインアセンブリ２００は、モータ（図示せず）によって駆動される第１の端部マウント２２０を備える。駆動トレインアセンブリはまた、第２の端部マウント２３０を含む。アタッチメント１４を接続するための駆動シャフト２４が第２の端部マウント２３０から延びている。ばね２１０は、そのそれぞれの端部で端部マウントアセンブリ２２０、２３０に取り付けられている。ばね２１０は、各端部にＸ字型の交差たわみばねヒンジ２５０、２６０を含む。交差たわみばねヒンジ２５０、２６０のそれぞれは、Ｘ字型を形成するばね２１０の一端に取り付けられた、２つのばねヒンジリーフレット２５０ａ、２５０ｂ、２６０ａ、２６０ｂを備える。駆動トレインアセンブリを囲むのは、内部駆動ハウジング２７０である。
【００３４】
本発明の他の非節点取り付け型ばね懸架システムは、図２に示す従来技術のシステムに対する改良である。これにより、接続の複雑さが軽減され、より予測可能なシステムの動作が提供される。システムは、第２の動作モードのために節点をクランプする必要なしに、依然として駆動システムの２モード動作を可能にする。本発明の駆動システムは振動を低減し、駆動ヒステリシスを欠き、駆動システムのより容易な振幅および力の検知を可能にする。アタッチメントの複雑さが減少したために、早期の破損および駆動ヒステリシスにつながり得る材料応力が劇的に減少する。さらに、取り付けの複雑さが減少すると、必要な部品の数および製造の複雑さおよびコストが減少する。
【００３５】
本明細書で定義され使用されている全ての定義は、辞書定義、参照により組み込まれた文献の定義、及び／又は、定義された用語の通常の意味を制御すると理解されるべきである。
【００３６】
本明細書及び特許請求の範囲において使用される単数形は、明確に反対の指示がない限り、「少なくとも１つ」を意味すると理解されるべきである。
【００３７】
本明細書及び特許請求の範囲において使用される語句"及び／又は"は、そのように結合された複数の要素の"いずれか又は両方"、即ち、或る幾つかの場合には接続的に存在し、他の場合には分離的に存在する複数の要素を意味すると理解されるべきである。"及び／又は"と共に記載されている複数の要素は、同じ様式で、即ち、そのように結合された複数の要素のうちの"一つ又はそれ以上"と解釈されるべきである。他の複数の要素は、任意的に、「及び／又は」節によって具体的に特定された複数の要素以外に存在してもよく、それら具体的に特定された複数の要素と関連していても関連していなくてもよい。
【００３８】
本明細書及び特許請求の範囲において使用される"又は"は、上述の"及び／又は"と同じ意味を有するものと理解されるべきである。例えば、あるリスト内の複数の項目を分離させた場合に、"又は"又は"及び／又は"は包括的である、即ち、１又は複数の要素のリストのうちの少なくとも一つ（ただし一つよりも多くも含む）を含み、そして任意的に、追加的なリストにない複数の項目を含むものと解釈されるものとする。明確に反対の指示をする用語、例えば"一つのみ"又は"厳密に一つの"又は特許請求の範囲において使用される場合の"から成る"のみが、数又は複数の要素のリストのうちの厳密に１の要素を含むことを参照することができる。概して、本明細書において使用される"又は"は、例えば"〜のいずれか"、"〜のうちの一方"、"〜の一つのみ"、又は、"厳密に一つの"を伴う場合にのみ、排他的な代替手段（即ち、"一方又は他方であり、両方ではない"）を示すと解釈されるものとする。
【００３９】
本明細書及び特許請求の範囲に用いられるように、１つ以上の要素を含むリストを参照した際の「少なくとも１つ」との表現は、要素のリストにおける任意の１つ以上の要素から選択された少なくとも１つの要素を意味すると理解すべきであるが、要素のリストに具体的に列挙された各要素の少なくとも１つを必ずしも含むわけではなく、要素のリストにおける要素の任意の組み合わせを排除するものではない。この定義は、「少なくとも１つの」との表現が指す要素のリストの中で具体的に特定された要素以外の要素が、それが具体的に特定された要素に関係していても関連していなくても、任意選択的に存在してもよいことを可能にする。
【００４０】
また、反対の意味で明確に示されなければ、２以上のステップ又は動作を含む請求項中の任意の方法において、方法のステップ又は動作の順序は、記載の方法のステップ又は動作の順序に必ずしも限定されない。
【００４１】
明細書と同様に、請求項中、「有する」、「含む」、「運ぶ」、「持つ」、「包含する」、「取り込む」、「保持する」、「構成される」などの移行句は、オープンエンドである、即ち、含むが、これらに限定されないものとして理解されるべきである。「〜からなる」及び「実質的に〜からなる」という移行句のみが、それぞれ、クローズド又はセミクローズド移行句であるべきである。
【００４２】
本明細書では多様な実施形態が記載及び図示されたが、当業者は、本明細書に説明される機能を実行するための、並びに／又は、本明細書に説明される結果、及び／若しくは、１つ以上の利点を得るための他の多様な手段及び／若しくは構造を容易に想像し、かかる変形例及び／又は改変例は、本明細書で説明される発明の実施形態の範囲内に含まれると見なされる。より一般的には、当業者は、本明細書に説明される全てのパラメータ、寸法、材料、及び、構成の全ては例であり、実際のパラメータ、寸法、材料、及び／又は、構成は、本発明の教示が使用される具体的な用途に依存することを容易に理解するであろう。当業者は、通常の実験より多くを要することなく、本明細書に説明される本発明の具体的な実施形態の多数の均等物を認識又は確認することができるであろう。よって、上記の実施形態はあくまで例として提示され、本発明の実施形態は、特許請求の範囲及び均等物の範囲内において、具体的に説明及び請求されたものとは異なる態様又は方法で実施することができる。本開示の発明の実施形態は、本明細書に説明される個々の特徴、システム、物品、材料、キット（道具）、及び／又は、方法に向けられる。また、かかる特徴、システム、物品、材料、キット、及び／又は、方法が互いに矛盾しない場合、かかる特徴、システム、物品、材料、キット、及び／又は、方法のうちの２つ以上の任意の組み合わせは本開示の発明の範囲内に含まれる。
【図１】
2019532683.tif 000003
【図２】
2019532683.tif 000004
【図３】
2019532683.tif 000005
【図４】
2019532683.tif 000006
【図５】
2019532683.tif 000007
【図６】
2019532683.tif 000008
【図７】
2019532683.tif 000009
【図８】
2019532683.tif 000010
【図９】
2019532683.tif 000011
【図１０】
2019532683.tif 000012
【国際調査報告】
2019532683.tif 000013
2019532683.tif 000014